【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
高圧チャンバー（３０３、４０３、５０１）と低圧チャンバー（３０５、４０５、５０２）との間の少なくとも２つの流路（３０６、３０６ａ、４０６、４０６ａ）と、
前記少なくとも２つの流路（３０６、３０６ａ、４０６、４０６ａ）を開閉するための作動可能な閉鎖ユニット（２２２、３０９、４１５）とを備える、圧力制御部（１０７、３００、４００、５００、６００、８００、８１０、８２０、９０１、９１１）。
【請求項２】
１つの前記流路（３０６、３０６ａ、４０６、４０６ａ）が異なる断面で設計されている、請求項１に記載の圧力制御部（１０７、３００、４００、５００、６００、８００、８１０、８２０、９０１、９１１）。
【請求項３】
１つの前記流路（３０６、３０６ａ、４０６、４０６ａ）が同一の断面で設計されている、請求項１に記載の圧力制御部（１０７、３００、４００、５００、６００、８００、８１０、８２０、９０１、９１１）。
【請求項４】
１つの前記流路（３０６、３０６ａ、４０６、４０６ａ）が互いに独立に開閉される、請求項１から３のいずれか１項に記載の圧力制御部（１０７、３００、４００、５００、６００、８００、８１０、８２０、９０１、９１１）。
【請求項５】
１つの前記流路（３０６、３０６ａ、４０６、４０６ａ）が互いに独立には開閉されない、請求項１から３のいずれか１項に記載の圧力制御部（１０７、３００、４００、５００、６００、８００、８１０、８２０、９０１、９１１）。
【請求項６】
断面が小さい前記流路（２０６ｂ、３０６ａ、４０６ａ）が高圧または低体積流量で開閉される、請求項１から５のいずれか１項に記載の圧力制御部（１０７、３００、４００、５００、６００、８００、８１０、８２０、９０１、９１１）。
【請求項７】
断面が大きい前記流路（２０６ｂ、３０６ａ、４０６ａ）が低圧で開閉される、請求項１から６のいずれか１項に記載の圧力制御部（１０７、３００、４００、５００、６００、８００、８１０、８２０、９０１、９１１）。
【請求項８】
前記流路（２０６ａ、２０６ｂ、３０６、３０６ａ、４０６、４０６ａ）が合同のハウジング（２０１、３０１、４０１、５０７）内に設計されている、請求項１から７のいずれか１項に記載の圧力制御部（１０７、３００、４００、５００、６００、８００、８１０、８２０、９０１、９１１）。
【請求項９】
前記流路（２０６ａ、２０６ｂ、３０６、３０６ａ、４０６、４０６ａ）が合同のハウジング（２０１、３０１、４０１、５０７）内に設計されていない、請求項１から７のいずれか１項に記載の圧力制御部（１０７、３００、４００、５００、６００、８００、８１０、８２０、９０１、９１１）。
【請求項１０】
１つまたは複数の流路（２０６ａ、２０６ｂ、３０６、３０６ａ、４０６、４０６ａ）が、前記流路（２０６ａ、２０６ｂ、３０６、３０６ａ、４０６、４０６ａ）を開閉するための前記装置内に設計されている、請求項１から９のいずれか１項に記載の圧力制御部（１０７、３００、４００、５００、６００、８００、８１０、８２０、９０１、９１１）。
【請求項１１】
前記流路（３０６、３０６ａ、４０６、４０６ａ）が、機械式、磁気式、電気式、空圧式、油圧式装置、または、これらの任意の組み合わせによって開閉される、請求項１から１０のいずれか１項に記載の圧力制御部（１０７、３００、４００、５００、６００、８００、８１０、８２０、９０１、９１１）。
【請求項１２】
閉鎖体（３２６、５０３）を再配置するための前記閉鎖ユニットのアンカー（３２３、５０８、６０１）が高圧側に配置されている、請求項１から１１のいずれか１項に記載の圧力制御部（１０７、３００、４００、５００、６００、８００、８１０、８２０、９０１、９１１）。
【請求項１３】
閉鎖体（４０９）を再配置するための閉鎖ユニットのアンカー（４２８）が低圧側に配置されている、請求項１から１２のいずれか１項に記載の圧力制御部（１０７、４００）。
【請求項１４】
制御ユニット（１０６、９００、９１０）の、請求項１から１３のいずれか１項に記載の圧力制御部（１０７、３００、４００、５００、６００、８００、８１０、８２０、９０１、９１１）を介した除去中に排水される貯蔵容器（１０２）を備える、自動車用の燃料供給装置（１００）であって、
複数の流路（２０６ａ、２０６ｂ、３０６、３０６ａ、４０６、４０６ａ）が、前記圧力制御部（１０７、３００、４００、５００、６００、８００、８１０、８２０、９０１、９１１）の入口側高圧チャンバー（２０３、３０３、４０３、５０１）と出口側低圧チャンバー（２０５、３０５、４０５、５０２）との間に配置され、前記流路が開閉され、前記流路の中を流れるとき、前記貯蔵容器（１０２）の貯蔵圧からユーザー（１０１）の作動圧まで圧力が下がる、燃料供給装置（１００）。
【請求項１５】
前記制御ユニット（１０６、９００、９１０）が、前記圧力制御部（１０７、３００、４００、５００、６００、８００、８１０、８２０、９０１、９１１）と、オプションとしての高圧センサー（１０８、９０３、９１４）と、オプションとしての低圧センサー（１０９、９０２、９１２）と、オプションとしての低圧安全装置（９１３）と、オプションとしての高圧安全装置と、オプションとしての熱安全装置と、オプションとしての低圧側システム停止弁と、オプションとしての高圧側システム停止弁と、オプションとしてのフィルター要素と、オプションとしての装着された制御装置（１１１）と、オプションとしての合同のハウジング（３０１、４０１、５０７、８１２、８２２）内のオプションとしての熱交換機（８０１、８１１、８２１）と、を備える、請求項１４に記載の燃料供給装置（１００）。
【請求項１６】
前記制御ユニット（１０６、９００、９１０）が、排水と、オプションとして燃料補給とに使用され、燃料補給連結部と高圧貯蔵容器とに接合されるのに適したラインコネクタと、オプションとしての前記入口側の逆止弁とが、オプションとしての合同のハウジング（３０１、４０１、５０７、８１２、８２２）内に配置されている、請求項１４または１５に記載の燃料供給装置（１００）。
【請求項１７】
前記燃料補給連結部が、前記制御ユニット（１０６、９００、９１０）に組み込まれている、請求項１４から１６のいずれか１項に記載の燃料供給装置（１００）。
【請求項１８】
前記圧力制御部（１０７、３００、４００、５００、６００、８００、８１０、８２０、９０１、９１１）または前記制御ユニット（１０６、９００、９１０）が、燃料補給弁に組み込まれている、請求項１４から１７のいずれか１項に記載の燃料供給装置（１００）。
【請求項１９】
前記制御ユニット（１０６、９００、９１０）が、電子制御部によって制御され、前記電子制御部が、前記ユーザーの指示に従って、かつ、オプションとして前記貯蔵圧を考慮して、前記ユーザーの前記作動圧を制御する、請求項１４から１８のいずれか１項に記載の燃料供給装置（１００）。
【請求項２０】
入口側高圧チャンバー（３０３、４０３、５０１）と出口側低圧チャンバー（３０５、４０５、５０２）の間にある複数の流路を有する、請求項１から１３のいずれか１項に記載の圧力制御部（１０７、３００、４００、５００、６００、８００、８１０、８２０、９０１、９１１）を作動させるための方法であって、制御部は、作動圧が不足したときに流路を開き、前記作動圧が超過したときに流路を閉じる、方法。